【手続補正書】
【提出日】平成17年2月16日(2005.2.16)
【手続補正１】
【補正対象書類名】明細書
【補正対象項目名】特許請求の範囲
【補正方法】変更
【補正の内容】
【特許請求の範囲】
【請求項１】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
デバイス設定データを表示するディスプレイと、
前記デバイスを設定するための設定データを受け入れる変換器であって、中央演算装置が、前記デバイスに関するソフトウェアプログラムを実行し、ディスプレイ上への表示のために前記デバイス設定データを供給し、前記変換器から設定データを受信し、前記中央演算装置が、設定データを受信した際に前記デバイスのコンフィギュレーションを行うためにコントロール信号を供給する、変換器と、
前記コントロール信号を受信し、無線で前記コントロール信号を前記デバイスに送信する無線送受信器と、を備え、
前記デバイスに関する前記ソフトウェアプログラムは、デバイス設定データの表示および設定データの受け入れのために、前記デバイスに固有のオプション設定データを受け取るものである、
ことを特徴とするコンピュータ。
【請求項２】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
前記ソフトウェアプログラムが複数の異なるデバイスによって使用可能で、このデバイスのそれぞれがデバイス特有の設定データに基づいて設定されている、
ことを特徴とする請求項１記載のコンピュータ。
【請求項３】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
前記コントロール信号を受信して無線で前記コントロール信号を前記デバイスに送信する前記無線送受信器が、ブルートゥース形式の無線送受信器であることを特徴とする請求項１記載のコンピュータ。
【請求項４】
電子又は電気のデバイスのコンフィギュレーションを行うコンピュータであって、前記デバイスは前記コンピュータまたはその周辺機器以外のものであり、前記デバイスは無線で送られたデータを受信する受信器を含む、コンピュータであり、
使用中の、前記コントロール信号が、短距離低帯域の通信信号であることを特徴とする請求項１記載のコンピュータ。
【請求項５】
設定可能なデバイスであって、
前記設定可能なデバイスに関する設定データを記憶している記憶媒体であり、前記記憶媒体は前記設定データを中央演算装置にそこからの信号に応じて移送し、前記設定データは前記設定可能なデバイスをコンフィギュレートするために使用するソフトフェアプログラムを実行するためのものであり、前記中央演算装置はコンフィギュレーション条件を前記設定可能なデバイスに送信し前記設定可能なデバイスから前記設定データを受信する無線送受信器を有する、記憶媒体と、
前記デバイス内にあり、前記設定データを前記中央演算装置に送信し、前記中央演算装置の前記無線送受信器からコンフィギュレーション条件を含む無線信号を受信する、無線トランシーバと、
前記デバイスの設定のためにコンフィギュレーション条件を前記設定可能なデバイスのメモリの中に保存するコントローラと、
を備えることを特徴とするデバイス。
【請求項６】
設定可能なデバイスであって、
記憶された実行可能なインストラクションを内部に含み、前記実行可能なインストラクションは前記中央演算装置上で前記設定可能なデバイスに前記信号を供給するために実行される、携帯用の記録媒体を備えることを特徴とする請求項５記載のデバイス。
【請求項７】
設定可能なデバイスであって、
中央演算装置上で実行される設定データが保存された記録媒体であって、前記設定データは、前記設定可能なデバイスに関するものであり、コンフィギュレーション条件データを受信する時および前記設定可能なデバイスにコンフィギュレーション条件を含む無線信号を供給する時に実行される、記録媒体と、
前記デバイス内にあり無線送信器からコンフィギュレーション条件を含む無線信号を受信する無線受信器と、
前記デバイスの設定のためにコンフィギュレーション条件を前記設定可能なデバイスのメモリの中に保存するコントローラと、を備え、
前記設定可能なデバイスは前記コンピュータまたはその周辺機器以外のものである、
ことを特徴とするデバイス。
【請求項８】
前記無線受信器がブルートゥース形式の無線受信器を含むことを特徴とする請求項７記載のデバイス。
【請求項９】
前記無線受信器がブルートゥース形式の無線送信器を含むことを特徴とする請求項８記載のデバイス。
【請求項１０】
前記設定データは伝達媒体を介してコンピュータ制御により修正できることを特徴とする請求項７記載のデバイス。
【請求項１１】
前記記録媒体は携帯用不揮発性記録媒体であることを特徴とする請求項７記載のデバイス。
【請求項１２】
前記記録媒体がフロッピーディスクを構成することを特徴とする、コンフィギュレーション可能な、電気又は電子の、請求項１１記載のデバイス。
【請求項１３】
前記記録媒体がＣＤ−ＲＯＭを構成することを特徴とする請求項１１記載のデバイス。
【請求項１４】
パソコンを用いてコンフィギュレーションできるデバイスであって、
前記デバイスに関するソフトウェアユニットを供給する記録媒体であって、前記ソフトウェアユニットは、前記ユーザインターフェイスに前記デバイスの設定のためのパソコンの中央演算装置上での実行を提供する、インストラクションを含む、記録媒体と、
無線通信の連絡手段を介して前記パソコンからコントロール信号を受信する受信器と、
ユーザのお気に入りのものを達成するために前記デバイスの前記メモリ内に設定データを記憶するコントローラと、
を備えることを特徴とするデバイス。
【請求項１５】
電気又は電子のデバイスのコンフィギュレーションを行うための器具であって、
複数のインストラクションを実行する中央演算装置と、
前記デバイスに関するソフトウェアユニットを供給する記録媒体であって、前記ソフトウェアユニットは、前記ユーザインターフェイスに前記デバイスの設定のための中央演算装置上での実行を提供する、インストラクションを含む、記録媒体と、
デバイスに特有のユーザにお気に入りの設定データを実行中にデバイスに入力するソフトウェアアプリケーションと相互作用する入出力デバイスと、
前記コンピュータからの、入力された前記設定データに基づくコントロール信号を、前記デバイスに伝達するための、制御装置と、
短距離無線通信媒体を介して前記デバイスに前記コントロール信号を伝達する送信器と、
前記デバイスにおける前記コントロール信号を受信する受信器と、
ユーザのお気に入りのものを達成するために前記デバイスの前記メモリ内に設定データを記憶するコントローラと、
を備えることを特徴とする器具。
【請求項１６】
電気または電子のデバイスのコンフィギュレーションを行う方法であって、
デバイスと関連し、ユーザインターフェイスにコンピュータ上で実行するデバイスの設定を提供するソフトウェアユニットを、準備し、
パソコン上で前記ソフトウェアユニットを含むソフトウェアアプリケーションを実行し、
デバイスに特有のユーザにお気に入りの設定データを入力するために、実行中に、前記コンピュータ上で、前記ソフトウェアアプリケーションと相互に作用し、
前記コンピュータからの、入力された前記設定データに基づくコントロール信号を、伝達のために、前記デバイスに提供し、
短距離無線通信媒体を介して前記デバイスに前記コントロール信号を伝達し、
前記デバイスで前記コントロール信号を受信し、
ユーザのお気に入りのものを達成するために前記デバイスの前記メモリ内に設定データを記憶する、
ことを特徴とする方法。
【請求項１７】
電気または電子のデバイスのコンフィギュレーションを行う方法であって、前記コントロール信号を前記デバイスに伝達する工程が、ブルートゥース形式の無線送受信器を介した工程であることを特徴とする、請求項１６記載の方法。
【請求項１８】
電気または電子のデバイスのコンフィギュレーションを行う方法であって、前記コントロール信号を前記デバイスで受信する工程が、ブルートゥース形式の無線受信器を介した工程であることを特徴とする、請求項１７記載の方法。